(57)【要約】      （修正有）【課題】金網のフェンスやハンガーアーム等に２点支持およびハの字状の支持状態で係止させ、移動するのを効率よく阻止するとともに、吊り部材によって上着、カバン、パックの吊り部材を容易に係止させることができる、安価で、構造が簡単なフックを提供する。【解決手段】一体形成されたヒンジ部４を介して折り畳むことができ、フック部および吊り部材取付け部６ａ，６ｂが形成されたフック本体７とこのフック本体７の左右部位の吊り部材取付け部６ａ，６ｂにそれぞれ形成された、吊り部材３ａが取付けられる吊り部材取付部６ａ，６ｂと、この吊り部材取付部６ａ，６ｂに取付けられた上着、カバン、パックの吊り部材に係止することができる吊り部材３ａとでフックを構成している。【選択図】図１
2015036092.tif 000002
【特許請求の範囲】
【請求項１】
一方の開閉体と、
この一方の開閉体と縦向きのヒンジ部を介して一体的に設けられた他方の開閉体と、
この他方の開閉体と前記一方の開閉体とからなるフック本体と、
前記一方の開閉体に設けられた一方の開口部と、
前記他方の開閉体に設けられた前記一方の開口部と連絡してなる他方の開口部と、
この他方の開口部と前記一方の開口部の上部あるはいずれかの開口部の上部から下方に向けて突出した形態で設けられた下向き突出部と、
前記フック本体に設けられた、紐、ワイヤ、鎖、棒状部材などの吊り部材を取り付けるための吊り部材取付け部と、を備えてなるとともに、
前記ヒンジ部によって前記一方の開閉体と前記他方の開閉体が向き合う向き合い状態である開閉体向き合い状態で、前記一方の開口部、前記他方の開口部および前記下向き突出部とによってフック形態となり、前記他方の開閉体および前記一方の開閉体の展開平ら状態では、前記フック形態とはならない非フック形態であることを特徴とするフック。
【請求項２】
一方の開閉体と、
この一方の開閉体と縦向きのヒンジ部を介して一体的に設けられた他方の開閉体と、
前記ヒンジ部で折り畳める前記他方の開閉体と前記一方の開閉体とからなるフック本体と、
前記一方の開閉体に設けられた下部が開放形態の一方の開口部と、
前記他方の開閉体に設けられた下部が開放形態の前記一方の開口部と非連絡形態である他方の開口部と、
前記一方の開口部の外側に形成された一方の下向き突出部と、
前記一方の開口部と前記下向き突出部とで形成されている一方の下向きフック部位と、
前記他方の開口部の外側に形成された他方の下向き突出部と、
前記他方の開口部と前記他方の下向き突出部とで形成されている他方の下向きフック部位と、
前記一方の開閉体、前記他方の開閉体の下部に設けられた、紐、ワイヤ、鎖、棒状部材などの吊り部材を直接的にあるいは他の部材を介して取り付ける吊り部材取付け部と、を備えるとともに、
前記ヒンジ部で折られて前記一方の開閉体と前記他方の開閉体が向き合う開閉体向き合い状態で、前記一方の下向きフック部位と前記他方の下向きフック部位とが掛ける部材に掛かるフック形態となり、前記他方の開閉体および前記一方の開閉体の展開平ら状態では、前記フック形態とはならない非フック形態であることを特徴とするフック。
【請求項３】
前記一方の開閉体に該一方の開閉体を下方斜め方向から開き方向に引っ張る前記吊り部材からなる一方の吊り部材が直接的あるいは他の部材を介して設けられ、前記他方に前記他方の開閉体を下方斜め方向から開き方向に引っ張る前記吊り部材からなる他方の吊り部材が直接的にあるいは他の部材を介して設けられ、前記一方の吊り部材および前記他方の吊り部材に荷重が掛かった状態では、該荷重によって前記一方の開閉体および前記他方の開閉体が強制的に外側に引っ張られた開閉体強制開き状態となることによって、前記掛ける部材を前記一方の開閉体の側面部、前記他方の開閉体の側面部および前記下向き突出部側面部によって締めつけ形態とできることを特徴とする請求項１、２のいずれか１項に記載のフック。
【請求項４】
フックが前記請求項３に記載のフックであって、前記一方の吊り部材および前記他方の吊り部材を広がり下り形態に保持し、かつ、前記一方の吊り部材および前記他方の吊り部材に吊り状態とされた干し具枠体が設けられ、前記干し具枠体に洗濯物を係止する洗濯物係止手段が設けられてなることを特徴とする洗濯干し具。
【発明の詳細な説明】
【技術分野】
【０００１】
本発明は金網のフェンスに上着やカバンを吊下げ、ハンガーアーム等に衣服等を吊下げたりして使用することができるフックおよび該フックを備えた物干し竿上を移動し難い洗濯干し具に関する。
【背景技術】
【０００２】
？形態のフックに携行品の持ち手などに通し掛けるループ紐を設けてなるループ紐付きフックが知られている。（例えば、特開昭６１−１６７１３号公報）
このループ紐付きフックは、フックが？形態であるために、バック等に収納した状態から出そうとすると、バック内の紐部材などに引っ掛かって取り出しが煩わしくなるという欠点を有するものであった。
また、一本の棒材の？形態のフックであるので、掛ける部材に掛かった掛かり状態は一点支持であるので、横に滑り移動し易いという欠点を有するものであった。
【０００３】
また、開閉式のフックで物干し竿を把持するようにして該物干し竿に取付ける開閉フック付洗濯干し具が知られている。（例えば、特開2001-113095号公報）
この開閉フック付洗濯干し具は、構成部品が多くコスト高になるという欠点を有するものであった。
また、部屋の壁から１ｃｍｍほど突出した戸枠の上縁等に掛けることができないという欠点を有するものであった。
【先行技術文献】
【特許文献】
【０００４】
【特許文献１】特開昭６１−１６７１３号公報
【特許文献２】特開２００１−１１３０９５号公報
【発明の概要】
【発明が解決しようとする課題】
【０００５】
本発明は以上のような従来の欠点に鑑み、バック等に収納しおいても取り出す時に中の紐等が掛かり難いフック、および、物干し竿に取り付けた状態では該物干し竿上を移動し難い前記フックを有する洗濯干し具を提供することを目的としている。
【課題を解決するための手段】
【０００６】
上記目的を達成するために、本発明は以下に述べるような構成となっている。
【０００７】
＜請求項１記載の発明＞
一方の開閉体と、
この一方の開閉体と縦向きのヒンジ部を介して一体的に設けられた他方の開閉体と、
この他方の開閉体と前記一方の開閉体とからなるフック本体と、
前記一方の開閉体に設けられた一方の開口部と、
前記他方の開閉体に設けられた前記一方の開口部と連絡してなる他方の開口部と、
この他方の開口部と前記一方の開口部の上部あるはいずれかの開口部の上部から下方に向けて突出した形態で設けられた下向き突出部と、
前記フック本体に設けられた、紐、ワイヤ、鎖、棒状部材などの吊り部材を取り付けるための吊り部材取付け部と、を備えてなるとともに、
前記ヒンジ部によって前記一方の開閉体と前記他方の開閉体が向き合う向き合い状態である開閉体向き合い状態で、前記一方の開口部、前記他方の開口部および前記下向き突出部とによってフック形態となり、前記他方の開閉体および前記一方の開閉体の展開平ら状態では、前記フック形態とはならない非フック形態であることを特徴とするフックである。
【０００８】
＜請求項２記載の発明＞
一方の開閉体と、
この一方の開閉体と縦向きのヒンジ部を介して一体的に設けられた他方の開閉体と、
前記ヒンジ部で折り畳める前記他方の開閉体と前記一方の開閉体とからなるフック本体と、
前記一方の開閉体に設けられた下部が開放形態の一方の開口部と、
前記他方の開閉体に設けられた下部が開放形態の前記一方の開口部と非連絡形態である他方の開口部と、
前記一方の開口部の外側に形成された一方の下向き突出部と、
前記一方の開口部と前記下向き突出部とで形成されている一方の下向きフック部位と、
前記他方の開口部の外側に形成された他方の下向き突出部と、
前記他方の開口部と前記他方の下向き突出部とで形成されている他方の下向きフック部位と、
前記一方の開閉体、前記他方の開閉体の下部に設けられた、紐、ワイヤ、鎖、棒状部材などの吊り部材を直接的にあるいは他の部材を介して取り付ける吊り部材取付け部と、を備えるとともに、
前記ヒンジ部で折られて前記一方の開閉体と前記他方の開閉体が向き合う開閉体向き合い状態で、前記一方の下向きフック部位と前記他方の下向きフック部位とが掛ける部材に掛かるフック形態となり、前記他方の開閉体および前記一方の開閉体の展開平ら状態では、前記フック形態とはならない非フック形態であることを特徴とするフックである。
【０００９】
＜請求項３記載の発明＞
前記一方の開閉体に該一方の開閉体を下方斜め方向から開き方向に引っ張る前記吊り部材からなる一方の吊り部材が直接的あるいは他の部材を介して設けられ、前記他方に前記他方の開閉体を下方斜め方向から開き方向に引っ張る前記吊り部材からなる他方の吊り部材が直接的にあるいは他の部材を介して設けられ、前記一方の吊り部材および前記他方の吊り部材に荷重が掛かった状態では、該荷重によって前記一方の開閉体および前記他方の開閉体が強制的に外側に引っ張られた開閉体強制開き状態となることによって、前記掛ける部材を前記一方の開閉体の側面部、前記他方の開閉体の側面部および前記下向き突出部側面部によって締めつけ形態とできることを特徴とする請求項１、２のいずれか１項に記載のフックである。
【００１０】
＜請求項４記載の発明＞
【００１１】
フックが前記請求項３に記載のフックであって、前記一方の吊り部材および前記他方の吊り部材を広がり下り形態に保持し、かつ、前記一方の吊り部材および前記他方の吊り部材に吊り状態とされた干し具枠体が設けられ、前記干し具枠体に洗濯物を係止する洗濯物係止手段が設けられてなることを特徴とする洗濯干し具である。
【発明の効果】
【００１２】
以上の説明から明らかなように、本発明にあっては次のような効果が得られる。
＜請求項１記載の発明の効果＞
掛ける部材に掛かった掛かり状態は、一方の開口部の上部と他方の開口部の上部の二点が掛ける部材に当接した状態となる二点支持状態であるので、一点支持状態の従来のものよりも横滑り移動し難いものにできる。
また、他方の開閉体および一方の開閉体の展開平ら状態である非フック形態で、バック等に収納することができ、また、吊り部材を該非フック形態で巻き付けて収納することができるので、バック内の紐等が掛かり絡むということが生じ難いないし生じないものを実現する。
また、ヒンジ部を有するプレート形態とするのが最も合理的であるので、プラスチックの成型ですべてを一回の射出成型あるいは一回の打抜き成型で形成することができるので低コストで実現できる。
当然、ループ紐等からなる吊り部材を取り付けることによって、カバンの持ち手等に吊り部材を潜らせ巻形態にして使用することができる。
【００１３】
＜請求項２記載の発明の効果＞
このような形態としても、請求項１記載の発明と同様な効果を奏する。
【００１４】
＜請求項３記載の発明の効果＞
請求項１、２のいずれか１項に記載の発明と同様な効果を奏するとともに、一方の開閉体に該一方の開閉体を下方斜め方向から開き方向に引っ張る一方の吊り部材が設けられ、他方の開閉体に該他方の開閉体を下方斜め方向から開き方向に引っ張る他方の吊り部材が設けられてなる構成であるので、掛ける部材に掛かっている状態で一方の吊り部材および他方の吊り部材に荷重が掛かると、その荷重により一方の開閉体および他方の開閉体が強制的に外側に引っ張られた開閉体強制開き状態となり、よって、掛ける部材を一方の開閉体の側面部、他方の開閉体の側面部および下向き突出部側面部によって締めつけた締め付け保持力強化状態を実現する。
これによって、掛ける部材を締め付けるこの締め付け支持状態は、該掛ける部材との間の摩擦を大きくするのでより横滑り移動がし難い掛かり支持状態を実現する。
【００１５】
＜請求項４記載の発明＞
【００１６】
フックが前記請求項３に記載のフックであって、前記一方の吊り部材および前記他方の吊り部材を広がり下り形態に保持し、かつ、前記一方の吊り部材および前記他方の吊り部材に吊り状態とされた干し具枠体が設けられ、前記干し具枠体に洗濯物を係止する洗濯物係止手段が設けられてなることを特徴とする洗濯干し具であるので、洗濯干し具に洗濯物を干した状態では、洗濯ものによる下向き荷重が掛かった状態となり、風で洗濯物が煽られた状態ではさらなる荷重かかかった状態となるので、それは、フックによる掛ける部材である物干し竿のさらなる締め付け保持力強化状態となるので、掛ける部材との間の摩擦はより大きくなり、よって、風によって煽られても横移動することがない、安価なフックを有する洗濯干し具を実現する。
洗濯物係止手段には、スーツ、セータの上着を一枚ずつ掛けるハンガー形態のもの、挟持して下げるピンチ形態のものなど多様な形態・種類のものがある。
【図面の簡単な説明】
【００１７】
【図１】本発明の実施例１の展開状態の正面図。
【図２】本発明の実施例１の展開状態の平面図。
【図３】本発明の実施例１の展開状態の側面図。
【図４】本発明の実施例１の展開状態の背面図。
【図５】図１の５−５線に沿う断面図。
【図６】本発明の実施例１の上着の掛け紐に取付けた状態の説明図。
【図７】本発明の実施例１の上着を吊下げた使用状態の説明図。
【図８】本発明の実施例１のカバンに取付けた状態の説明図。
【図９】本発明の実施例１のカバンを吊下げた使用状態の説明図。
【図１０】本発明の実施例２の展開状態の正面図。
【図１１】本発明の実施例２の展開状態の平面図。
【図１２】本発明の実施例２の展開状態の側面図。
【図１３】本発明の実施例２の展開状態の背面図。
【図１４】本発明の実施例２の使用状態の正面図。
【図１５】本発明の実施例２の使用状態の平面図。
【図１６】本発明の実施例３の展開状態の正面図。
【図１７】本発明の実施例３の展開状態の平面図。
【図１８】本発明の実施例３の展開状態の側面図。
【図１９】本発明の実施例３の展開状態の背面図。
【図２０】本発明の実施例３の使用状態の正面図。
【図２１】本発明の実施例３の使用状態の平面図。
【図２２】本発明の実施例４の展開状態の正面図。
【図２３】本発明の実施例４の展開状態の平面図。
【図２４】本発明の実施例４の展開状態の側面図。
【図２５】本発明の実施例４の展開状態の背面図。
【図２６】本発明の実施例４の折り向き合わせた状態の正面図。
【図２７】本発明の実施例５の展開状態の正面図。
【図２８】本発明の実施例５の折り畳んだ状態の斜視図。
【図２９】本発明の実施例５の使用状態の正面図。
【図３０】本発明の実施例６の展開状態の正面図。
【図３１】本発明の実施例６の展開状態の平面図。
【図３２】本発明の実施例６の展開状態の側面図。
【図３３】本発明の実施例６の展開状態の背面図。
【図３４】本発明の実施例６の折り向き合わせ状態の正面図。
【図３５】本発明の実施例７の展開状態の正面図。
【図３６】本発明の実施例７の展開状態の平面図。
【図３７】本発明の実施例７の展開状態の側面図。
【図３８】本発明の実施例７の使用状態の平面図。
【図３９】本発明の実施例８の展開状態の正面図。
【図４０】本発明の実施例８の展開状態の平面図。
【図４１】本発明の実施例８の展開状態の側面図。
【図４２】本発明の実施例８の使用状態の平面図。
【図４３】本発明の実施例８の操作説明図。
【図４４】本発明の実施例９の展開状態の正面図。
【図４５】本発明の実施例９の展開状態の平面図。
【図４６】本発明の実施例９の異なる展開状態の平面図。
【図４７】本発明の実施例９の異なる展開状態の平面図。
【図４８】本発明の実施例１０の展開した状態の平面図および正面図。
【図４９】本発明の実施例１０の折り畳んだ状態の平面図および正面図。
【図５０】本発明の実施例１０の使用状態例を示す側面図。
【図５１】本発明の実施例１０の洗濯干し具とした形態の側面図。
【図５２】本発明の実施例１１の展開状態の正面図。
【図５３】本発明の実施例１１の使用状態例を示す斜視図。
【図５４】本発明の実施例１２の展開状態の正面図。
【発明を実施するため最良の形態】
【００１８】
以下、本発明を実施するための最良である実施例について説明する。但し、本発明をこれら実施例のみに限定する趣旨のものではない。また、後述する実施例の説明に当って、前述した実施例の同一構成部分には同一符号を付して重複する説明を省略する。
【実施例１】
【００１９】
以下、図面に示す本発明を実施するためにより、本発明を詳細に説明する。
図１〜図９に示す本発明の実施例１において１はフックであって、このフック１は次に述べるような構成となっている。
プレート形態の一方の開閉体５ａと、この一方の開閉体５ａと縦向きのヒンジ部４を介して一体的に設けられたプレート形態の他方の開閉体５ｂと、この他方の開閉体５ｂと前記一方の開閉体５ａとからなるプレート形態のフック本体７と、前記一方の開閉体５ａに設けられた一方の開口部３０ａと、前記他方の開閉体５ｂ内に設けられた前記一方の開口部３０ａと連絡してなる他方の開口部３０ｂと、この他方の開口部３０ｂと前記一方の開口部３０ａの上部から下方に向けて突出した形態で設けられた下向き突出部３１と、前記一方の開口部３０ａ、他方の開口部３０ｂおよび下向き突出部３１とで形成された下向きフック部位（符号無し）と、前記フック本体７の下方でヒンジ部４に近い部位に設けられた、紐、ワイヤ、鎖、棒状部材などの吊り部材を取り付けるための孔からなる吊り部材取付け部６ａ、６ｂとを備えてなるとともに、前記ヒンジ部４を介して前記一方の開閉体５ａと前記他方の開閉体５ｂを閉じ状態とすると、前記一方の開口部３０ａ、前記他方の開口部３０ｂおよび前記下向き突出部３１とによってフック形態となり、前記他方の開閉体５ｂおよび前記一方の開閉体５ａの非閉じ状態である展開平ら状態では、前記フック形態とはならない非フック形態である。
【００２０】
下向き突出部３１は他方の開口部３０ｂと一方の開口部３０ａの上部からあるはいずれかの開口部の上部に形成されているものでよい。
吊り部材取付け部は孔に限らず、溝形態のもの、切込形態のもの、フック形態のもの、顎形態のものなど多様な形態のものがある。
他方の開閉体５ｂおよび一方の開閉体５ａの非閉じ状態である展開平ら状態では、一方の開口部３０ａと他方の開口部３０ｂによって形成される開口部の形態はハート形開口となる。
【００２１】
フック１は、合成樹脂材で一体成型、打抜き成型などによって一枚のプレート形態に形成されている。
吊り部材取付け部６ａ、６ｂには、ループ紐形態としてなる吊り部材３ａを通し取付けている。
吊り部材３ａは上着９の掛け紐１０、カバン１１の取手１２等に取付けて使用する。
吊り部材３ａを上着９の掛け紐１０に、図６に示すように通してフック本体７を通した部分の吊り部材３ａのループ中を通過させて、フック本体７を引っ張ることにより、上着９に取付けることができる。
このため、金網のフェンスである掛ける部材２ａには一方の開閉体５ａ、他方の開閉体５ｂを、図７に示すように掛ける部材２ａに係止させることにより金網のフェンスに上着９を吊下げることができる。
この時の一方の開閉体５ａ、他方の開閉体５ｂは金網の掛ける部材２ａに２点支持状態とされているため、横方向の移動をし難くした状態となる。
【００２２】
また、図８および図９に示すようにカバン１１の取手１２に吊り部材３ａを前述と同様に取付けると、フック１が取付けられたカバン１１となり、持ち歩くことができるとともに、ハンガーアームからなる掛ける部材２ｂを係止させて吊下げ状態で、前述を同様に収納することができる。
【実施例２】
【００２３】
図１０〜図１５に示す本発明の実施例２において、前記実施例１と主に異なる点は、吊り部材取付け部８ａ、８ｂをヒンジ部４から外側に離れた部位、上下中ほどにもそれぞれ形成してなるフック１Ａを形成した点にある。
吊り部材３ａは下部の離れた位置の吊り部材取付け部８ａ、８ｂに取り付けている。
【実施例３】
【００２４】
図１６〜図２１に示す本発明の実施例３において、前記実施例２と主に異なる点は、下向き突出部を長方形状のフック本体７に先端部が下方へ突出する下向き突出部３２とした点である。
一方の開口部３０ａ、他方の開口部３０ｂおよび下向き突出部３２とで形成された下向きフック部位（符号無し）を形成している。
【実施例４】
【００２５】
図２２〜図２６に示す本発明の実施例４において、前記実施例１と主に異なる点は、フック本体７の下部に横に突出してなる吊り部材用フック１６ａ、１６ｂを形成したフック１Ｃを形成した点にある。
吊り部材用フック１６ａ、１６ｂとで上向きフック部位（符号無し）を形成している。
【実施例５】
【００２６】
図２７〜図２９に示す本発明の実施例５において、前記実施例４と主に異なる点は、吊り部材取付部の無い形態としたもので、吊り部材用フック１６ａ、１６ｂを上着９の掛け紐１０に係止させる等ができる。
【実施例６】
【００２７】
図３０〜図３４に示す本発明の実施例６において、前記実施例２と主に異なる点は、フック本体７の吊り部材取付部８ａ、８ｂに外側より吊り部材３ａを通して、端部が該吊り部材取付部８ａ、８ｂより脱落しないように結び部１４ａ、１４ｂを形成してループ状とした点で、このように構成したフック１Ｄにしても、前記本発明の実施例２と同様な作用効果が得られるとともに、吊り部材３ａに荷重が加わっても、フック本体７がヒンジ部４を介して当接することがなく、一方の開閉体５ａ、他方の開閉体５ｂが八の字形態で掛ける部材２（図示せず省略）に支持され、横方向の移動を効率よく阻止することができる。
【実施例７】
【００２８】
図３５〜図３８に示す本発明の実施例７において、前記実施例２と主に異なる点は、吊り部材取付け部６ａにリング１９ａを取付け、吊り部材取付け部６ｂにリング１９ｂを取付け、リング１９ａに一方の開閉体５ａを下方斜め方向から開き方向（広がり下り形態）に引っ張る鎖部材からなる吊り部材３ｂ、３ｃが取り付けられ、リング１９ｂに他方の開閉体５ｂを下方斜め方向から開き方向（広がり下り形態）に引っ張る鎖部材からなる吊り部材３ｄ、３ｅが取り付けられてなるフック１Ｅを形成した点にある。
そして、吊り部材３ｂ、３ｃ、３ｄ、３ｅの端方は四角形の洗濯物係止手段３６である多数のピンチを有する干し具枠体３３のそれぞれの角隅に設けられたリング１７に取り付けられていて、全体として洗濯干し具３４を形成している。
【００２９】
フック１Ｅが物干し竿からなる掛ける部材２ｃに掛かっている状態では、吊り部材３ｂ、３ｃ、３ｄ、３ｅに荷重が掛かった一方の開閉体５ａおよび他方の開閉体５ｂが強制的に外側に引っ張られた開閉体強制開き状態となり、よって、掛ける部材２ｃを一方の開閉体５ａの側面部、他方の開閉体５ｂの側面部および下向き突出部３１の側面部によって締めつけ形態とでき、洗濯物をピンチ（図示せず省略）に係止下げるとその荷重で前記締め付け形態はいっそう強いものとなり、横滑り移動や外れることがより生じ難いものとなる。
【実施例８】
【００３０】
図３９〜図４３に示す本発明の実施例８において、前記実施例２と主に異なる点は、フック本体７をヒンジ部４で折ったところで、その折り形態を維持できるように吊り部材３ａの途中部位にループ分割結び目１５を形成したフック１Ｆとした点にある。
フック本体７の折り状態とし、ループ分割結び目１５で形成した上部ループ３５を図４３に示すように、前記折り状態のフック本体７を上部ループ３５に入れて該折り状態を保持することができる。
なお、上部ループ３５がフック本体７に確実に保持されるようにするためには、フック本体７の外側側面の下方に上部ループ３５が入る凹部や乗り越えられる凸部を設けるとよい。
【実施例９】
【００３１】
図４４〜図４７に示す本発明の実施例９において、前記実施例１と主に異なる点は、一方の開閉体５ａと他方の開閉体５ｂあるいは一方の開口部３０ａと他方の開口部３０ｂの形態を非対象にした点である。
このように、一方の開閉体５ａと他方の開閉体５ｂあるいは一方の開口部３０ａと他方の開口部３０ｂの形態を非対象とすることによって、図４４〜図４７に示すフック７Ｇ〜フックＩようにデザインの多様化を容易に図ることができる。
【実施例１０】
【００３２】
図４８〜図５１に示す本発明の実施例１０において、１Ｊはフックであって、このフック１Ｊは次に述べるような構成となっている。
縦長プレート形態（板形態）の一方の開閉体５ａと、この一方の開閉体５ａと縦向きのヒンジ部４を介して一体的に設けられた縦長プレート形態の他方の開閉体５ｂと、前記ヒンジ部４で折り畳める前記他方の開閉体５ｂと一方の開閉体５ａとからなる縦長プレート形態のフック本体７Ａと、前記一方の開閉体５ａの上側に設けられた一方の開口部３０ａと、前記他方の開閉体５ｂの上側に設けられた前記一方の開口部３０ａと連絡してなる他方の開口部３０ｂと、この他方の開口部３０ｂと前記一方の開口部３０ａの上部から下方に向けて突出した形態で設けられた下向き突出部３１と、前記一方の開口部３０ａ、他方の開口部３０ｂおよび下向き突出部３１とで形成された下向きフック部位４８と、前記フック本体７の下方でヒンジ部４から離れた部位に設けられた、紐、ワイヤ、鎖、棒状部材などの吊り部材を取り付けるための孔からなる吊り部材取付け部８ａ、８ｂと、
一方の開口部３０ａの下部を下方に小開口してなる一方の開口部４０ａと、他方の開口部３０ｂの下部を下方に小開口してなる他方の開口部４０ｂと、一方の開口部３０ａおよび他方の開口部３０ｂの下部中を下方に小開口してなる切欠き部４２と、この切欠き部４２、一方の開口部４０ａおよび他方の開口部４０ｂによって形成されてなる上向き突出部４３ａ、４３ｂと、一方の開口部４０ａ、他方の開口部４０ｂ、上向き突出部４３ａ、４３ｂとによって形成されてなる上向きフック部位（符号無し）と、
一方の開閉体５ａの下側に設けられた一方の開口部４１ａと、他方の開閉体５ｂの下側に設けられた一方の開口部４１ａと連絡してなる他方の開口部４１ｂと、この他方の開口部４１ｂと一方の開口部４１ａの上に向けて突出した形態で設けられた上向き突出部４４と、一方の開口部４１ａ、他方の開口部４１ｂおよび上向き突出部４４とで形成された上向きフック部位４９と、
フック本体７Ａの上部側に設けられた吊り部材取付け部８ｃ、８ｄと、フック本体７Ａの下部側に設けられた吊り部材取付け部８ｅ、８ｆと、
吊り部材取付け部８ａ〜８ｆの内側に設けられた吊り部材取付け部４７ａ〜４７ｆを備えてなる構成となっている。
【００３３】
図５０において、鴨居４６に取り付けた使用状態を示している。
上着９をセットしたハンガー４５を一方の開口部４１ａおよび他方の開口部４１ｂに跨らせ掛けた状態にして、下向き突出部３１を鴨居４６の上部面に載せ掛けている。
ハンガー４５を一方の開口部４０ａおよび他方の開口部４４０ｂに跨らせ掛けた状態とするのもよい。
フック１Ｊを逆さにして、ハンガー４５を下部に位置する一方の開口部３０ａおよび他方の開口部３０ｂに跨らせ掛けた状態とし、上部に位置する上向き突出部４４（この場合は下向きとなる）を鴨居の上部に載せ掛けるのもよい。
【００３４】
図５１において、吊り部材取付部４７ａ、４７ｂにリングを取付け、吊り部材取付部４７ａ側のリングに鎖からなる吊り部材３ｂ、３ｄ（鎖に限定されない）を下向き広がり傾斜をつけて設け、図では隠れて見えないが吊り部材取付部４７ｂ側のリングに鎖からなる吊り部材３ｃ、３ｅを下向き広がり傾斜をつけて設け、吊り部材３ｂ、３ｄ、吊り部材３ｃ、３ｅの先端に、洗濯物係止手段３６を多数下げ設けた干し具本体３３を吊り下げ設けてなる洗濯干し具３７を形成している。
図では、物干し竿からなる掛ける部材２ｃに一方の開口部３０ａおよび他方の開口部３０ｂを掛けているが、一方の開口部４１ａおよび他方の開口部４１ｂを上にして、該一方の開口部４１ａおよび他方の開口部４１ｂを掛ける部材２ｃに掛けるのもよい。
物干し竿の掛ける形態のものは、一方の開口部３０ａおよび他方の開口部３０ｂ、一方の開口部４１ａおよび他方の開口部４１ｂは図よりも深いものにするのが、より外れ難くできるのでよい。
【００３５】
フック１Ｊの吊り部材３ｂ、３ｄを取り付ける部位は、フック本体７Ｄの適当な箇所でよく、直接的に取り付けた形態、他の部材を介して間接的に取り付けた形態でよい。
【００３６】
４１ａ、４１ｂ、４４を設けない形態、すなわちフック本体７Ｄの下方側を手で握り掴みやすい形態とするのもよい。
フック本体７Ｄの下方側を手で掴み高い箇所の物干し竿に一方の開口部３０ａおよび他方の開口部３０ｂを掛けることができる。
【実施例１１】
【００３７】
図５２、図５３に示す本発明の実施例１１において５０はフックであって、このフック５０は次に述べるような構成となっている。
プレート形態の一方の開閉体５１ａと、この一方の開閉体５１ａと縦向きのヒンジ部５２を介して一体的に設けられたプレート形態の他方の開閉体５１ｂと、前記ヒンジ部５２で折り畳める前記他方の開閉体５１ｂと一方の開閉体５１ａとからなるプレート形態のフック本体５３と、前記一方の開閉体５１ａの上側に設けられた下部が開放形態の一方の開口部５４ａと、前記他方の開閉体５１ｂの上側に設けられた下部が開放形態の一方の開口部５４ａと非連絡形態の他方の開口部５４ｂと、
一方の開口部５４ａの外側に形成された一方の下向き突出部５５ａと、一方の開口部５４ａと下向き突出部５５ａとで形成されている一方の下向きフック部位５６ａと、
他方の開口部５４ｂの外側に形成された他方の下向き突出部５５ｂと、他方の開口部５４ｂと他方の下向き突出部５５ｂとで形成されている他方の下向きフック部位５６ｂと、
一方の開閉体５１ａ、他方の開閉体５１ｂの下部に設けられた、紐、ワイヤ、鎖、棒状部材などの吊り部材を取り付けるための孔からなる吊り部材取付け部５７ａ、５７ｂとからなっている。
【００３８】
図５３に示す使用例において、一方の開閉体５１ａおよび他方の開閉体５１ｂを折り合せ（掛ける部材５８の太さによって開き幅が変わる）、吊り部材取付け部５７ａ、５７ｂに紐部材からなる吊り部材５９を通し取り付けてなるフック５０を掛ける部材５８に掛けている。
【実施例１２】
【００３９】
図５４に示す本発明の実施例１２において前記実施例１１と主に異なる点は、一方の開閉体５１ａおよび他方の開閉体５１ｂを縦長プレート形態とのものとし、一方の開閉体５１ａの下部側に上部が開放形態の一方の開口部６０ａを形成し、他方の開閉体５１ｂの下部側に上部が開放形態の他方の開口部６０ｂを形成し、
一方の開口部６０ａの外側に一方の上向き突出部６１ａを形成し、一方の開口部６０ａと一方の下向き突出部６１ａとで一方の下向きフック部位６２ａを形成し、
他方の開口部６０ｂの外側に他方の上向き突出部６１ｂを形成し、他方の開口部６０ｂと他方の上向き突出部６１ｂとで他方の下向きフック部位６２を形成してなるフック６３を形成した点にある。
【産業上の利用可能性】
【００４０】
本発明は衣服やカバン等を金網のフェンス、ハンガーアーム等に吊下げることができるフックを製造する産業、洗濯干し具を製造・販売する産業で利用される。
【符号の説明】
【００４１】
１Ａ−１Ｋ：フック、
２ａ〜２ｃ：掛ける部材、
３ａ〜３ｅ：吊り部材、
４：ヒンジ部、
５ａ：一方の開閉体、
５ｂ：他方の開閉体、
６ａ、６ｂ：吊り部材取付け部、
７、７Ａ、７Ｂ、７Ｃ：フック本体、
８ａ〜８ｆ：吊り部材取付部、
９：上着、
１０：掛け紐、
１１：カバン、
１２：取手、
１５：ループ分割結び目、
１４ａ、１４ｂ：結び目、
１５：結び目、
１６ａ、１６ｂ：吊り部材用フック、
１７：リング、
１９ａ、１９ｂ：リング、
２１：洗濯用ハンガー、
３０ａ：一方の開口部、
３０ｂ：他方の開口部、
３１：下向き突出部、
３２：下向き突出部、
３３：干し具枠体、
３４：洗濯干し具、
３５：上部ループ、
３６：洗濯物係止手段、
３７：洗濯干し具、
４０ａ：一方の開口部、
４０ｂ：他方の開口部、
４１ａ：一方の開口部、
４１ｂ：他方の開口部、
４２：切欠き部、
４３ａ、４３ｂ：上向き突出部、
４４：４４：上向き突出部、
４５：ハンガー、
４６：鴨居、
４７ａ〜４７ｆ：吊り部材取付部、
４８：一方の下向きフック部位、
４９：他方の下向きフック部位、
５０：フック、
５１ａ：一方の開閉体、
５１ｂ：他方の開閉体、
５２：ヒンジ部、
５３：フック本体、
５４ａ：一方の開口部、
５４ｂ：他方の開口部、
５５ａ：一方の下向き突出部、
５５ｂ：他方の下向き突出部、
５６ａ：一方の下向きフック部位、
５６ｂ：他方の下向きフック部位、
５７ａ、５７ｂ：吊り部材取付け部、
５８：掛ける部材、
６０ａ：一方の開口部、
６０ｂ：他方の開口部、
６１ａ：一方の上向き突出部、
６１ｂ：他方の上向き突出部、
６２ａ：一方の下向きフック部位、
６２ｂ：他方の下向きフック部位、
６３：フック。
【図１】
2015036092.tif 000003
【図２】
2015036092.tif 000004
【図３】
2015036092.tif 000005
【図４】
2015036092.tif 000006
【図５】
2015036092.tif 000007
【図６】
2015036092.tif 000008
【図７】
2015036092.tif 000009
【図８】
2015036092.tif 000010
【図９】
2015036092.tif 000011
【図１０】
2015036092.tif 000012
【図１１】
2015036092.tif 000013
【図１２】
2015036092.tif 000014
【図１３】
2015036092.tif 000015
【図１４】
2015036092.tif 000016
【図１５】
2015036092.tif 000017
【図１６】
2015036092.tif 000018
【図１７】
2015036092.tif 000019
【図１８】
2015036092.tif 000020
【図１９】
2015036092.tif 000021
【図２０】
2015036092.tif 000022
【図２１】
2015036092.tif 000023
【図２２】
2015036092.tif 000024
【図２３】
2015036092.tif 000025
【図２４】
2015036092.tif 000026
【図２５】
2015036092.tif 000027
【図２６】
2015036092.tif 000028
【図２７】
2015036092.tif 000029
【図２８】
2015036092.tif 000030
【図２９】
2015036092.tif 000031
【図３０】
2015036092.tif 000032
【図３１】
2015036092.tif 000033
【図３２】
2015036092.tif 000034
【図３３】
2015036092.tif 000035
【図３４】
2015036092.tif 000036
【図３５】
2015036092.tif 000037
【図３６】
2015036092.tif 000038
【図３７】
2015036092.tif 000039
【図３８】
2015036092.tif 000040
【図３９】
2015036092.tif 000041
【図４０】
2015036092.tif 000042
【図４１】
2015036092.tif 000043
【図４２】
2015036092.tif 000044
【図４３】
2015036092.tif 000045
【図４４】
2015036092.tif 000046
【図４５】
2015036092.tif 000047
【図４６】
2015036092.tif 000048
【図４７】
2015036092.tif 000049
【図４８】
2015036092.tif 000050
【図４９】
2015036092.tif 000051
【図５０】
2015036092.tif 000052
【図５１】
2015036092.tif 000053
【図５２】
2015036092.tif 000054
【図５３】
2015036092.tif 000055
【図５４】
2015036092.tif 000056
【手続補正書】
【提出日】平成26年3月10日(2014.3.10)
【手続補正１】
【補正対象書類名】特許請求の範囲
【補正対象項目名】全文
【補正方法】変更
【補正の内容】
【特許請求の範囲】
【請求項１】
一方の開閉体と、
この一方の開閉体と縦向きのヒンジ部を介して一体的に設けられた他方の開閉体と、
この他方の開閉体と前記一方の開閉体とからなるフック本体と、
前記一方の開閉体に設けられた一方の開口部と、
前記他方の開閉体に設けられた前記一方の開口部と連絡してなる他方の開口部と、
この他方の開口部と前記一方の開口部の上部あるはいずれかの開口部の上部から下方に向けて突出した形態で設けられた下向き突出部と、
前記フック本体の前記下向き突出部以外の箇所に設けられた、荷重のある物を下げるための紐、ワイヤ、鎖、棒状部材などの吊り部材を取り付けるための吊り部材取付け部と、を備えてなるとともに、
前記ヒンジ部によって前記一方の開閉体と前記他方の開閉体が向き合う向き合い状態である開閉体向き合い状態で、前記一方の開口部、前記他方の開口部および前記下向き突出部とによって丸棒状の掛ける部材に掛かるフック形態となり、前記他方の開閉体および前記一方の開閉体の展開平ら状態では、前記フック形態とはならない非フック形態であることを特徴とするフック。
【請求項２】
一方の開閉体と、
この一方の開閉体と縦向きのヒンジ部を介して一体的に設けられた他方の開閉体と、
前記ヒンジ部で折り畳める前記他方の開閉体と前記一方の開閉体とからなるフック本体と、
前記一方の開閉体に設けられた下部が開放形態の一方の開口部と、
前記他方の開閉体に設けられた下部が開放形態の前記一方の開口部と非連絡形態である他方の開口部と、
前記一方の開口部の外側に形成された一方の下向き突出部と、
前記一方の開口部と前記下向き突出部とで形成されている一方の下向きフック部位と、
前記他方の開口部の外側に形成された他方の下向き突出部と、
前記他方の開口部と前記他方の下向き突出部とで形成されている他方の下向きフック部位と、
前記一方の開閉体の下部で前記下向き突出部以外の箇所と、前記他方の開閉体の下部で前記他方の下向き突出部以外の箇所に設けられた、紐、ワイヤ、鎖、棒状部材などの吊り部材を直接的にあるいは他の部材を介して取り付ける吊り部材取付け部と、を備えるとともに、
前記ヒンジ部で折られて前記一方の開閉体と前記他方の開閉体が向き合う開閉体向き合い状態で、前記一方の下向きフック部位と前記他方の下向きフック部位とが丸棒状の掛ける部材に掛かるフック形態となり、前記他方の開閉体および前記一方の開閉体の展開平ら状態では、前記フック形態とはならない非フック形態であることを特徴とするフック。
【請求項３】
前記一方の開閉体に該一方の開閉体を下方斜め方向から開き方向に引っ張る前記吊り部材からなる一方の吊り部材が直接的あるいは他の部材を介して設けられ、前記他方に前記他方の開閉体を下方斜め方向から開き方向に引っ張る前記吊り部材からなる他方の吊り部材が直接的にあるいは他の部材を介して設けられ、前記一方の吊り部材および前記他方の吊り部材に荷重が掛かった状態では、該荷重によって前記一方の開閉体および前記他方の開閉体が強制的に外側に引っ張られた開閉体強制開き状態となることによって、前記掛ける部材を前記一方の開閉体の側面部、前記他方の開閉体の側面部および前記下向き突出部側面部によって締めつけ形態とできることを特徴とする請求項１、２のいずれか１項に記載のフック。
【請求項４】
フックが前記請求項３に記載のフックであって、前記一方の吊り部材および前記他方の吊り部材を広がり下り形態に保持し、かつ、前記一方の吊り部材および前記他方の吊り部材に吊り状態とされた干し具枠体が設けられ、前記干し具枠体に洗濯物を係止する洗濯物係止手段が設けられてなることを特徴とする洗濯干し具。
【手続補正２】
【補正対象書類名】明細書
【補正対象項目名】０００７
【補正方法】変更
【補正の内容】
【０００７】
＜請求項１記載の発明＞
一方の開閉体と、
この一方の開閉体と縦向きのヒンジ部を介して一体的に設けられた他方の開閉体と、
この他方の開閉体と前記一方の開閉体とからなるフック本体と、
前記一方の開閉体に設けられた一方の開口部と、
前記他方の開閉体に設けられた前記一方の開口部と連絡してなる他方の開口部と、
この他方の開口部と前記一方の開口部の上部あるはいずれかの開口部の上部から下方に向けて突出した形態で設けられた下向き突出部と、
前記フック本体の前記下向き突出部以外の箇所に設けられた、荷重のある物を下げるための紐、ワイヤ、鎖、棒状部材などの吊り部材を取り付けるための吊り部材取付け部と、を備えてなるとともに、
前記ヒンジ部によって前記一方の開閉体と前記他方の開閉体が向き合う向き合い状態である開閉体向き合い状態で、前記一方の開口部、前記他方の開口部および前記下向き突出部とによって丸棒状の掛ける部材に掛かるフック形態となり、前記他方の開閉体および前記一方の開閉体の展開平ら状態では、前記フック形態とはならない非フック形態であることを特徴とするフックである。
【手続補正３】
【補正対象書類名】明細書
【補正対象項目名】０００８
【補正方法】変更
【補正の内容】
【０００８】
＜請求項２記載の発明＞
一方の開閉体と、
この一方の開閉体と縦向きのヒンジ部を介して一体的に設けられた他方の開閉体と、
前記ヒンジ部で折り畳める前記他方の開閉体と前記一方の開閉体とからなるフック本体と、
前記一方の開閉体に設けられた下部が開放形態の一方の開口部と、
前記他方の開閉体に設けられた下部が開放形態の前記一方の開口部と非連絡形態である他方の開口部と、
前記一方の開口部の外側に形成された一方の下向き突出部と、
前記一方の開口部と前記下向き突出部とで形成されている一方の下向きフック部位と、
前記他方の開口部の外側に形成された他方の下向き突出部と、
前記他方の開口部と前記他方の下向き突出部とで形成されている他方の下向きフック部位と、
前記一方の開閉体の下部で前記下向き突出部以外の箇所と、前記他方の開閉体の下部で前記他方の下向き突出部以外の箇所に設けられた、紐、ワイヤ、鎖、棒状部材などの吊り部材を直接的にあるいは他の部材を介して取り付ける吊り部材取付け部と、を備えるとともに、
前記ヒンジ部で折られて前記一方の開閉体と前記他方の開閉体が向き合う開閉体向き合い状態で、前記一方の下向きフック部位と前記他方の下向きフック部位とが丸棒状の掛ける部材に掛かるフック形態となり、前記他方の開閉体および前記一方の開閉体の展開平ら状態では、前記フック形態とはならない非フック形態であることを特徴とするフックである。